(57)【要約】【課題】プライバシーの保護が確実に図れ、データベースに蓄積した健康情報を利用して健康状態を管理する健康管理システムと健康管理方法を提供する。【解決手段】フィットネス施設１００には、ユーザ端末１０３が備えられており、ユーザ満末１０３には個人の健康情報入力手段であるキーボード１０５、トレーニングマシン１０６、血圧、脈拍や体重等の測定器１０８が接続されており、運動の情報や測定結果はユーザ端末１０３に自動的に送信される。また、ユーザ端末１０３と管理端末１０１はネットワーク接続機器を解して接続されている。さらに、管理端末１０１にはカードリーダ１０２が、ユーザ端末１０３にはカードリーダ１０４が、トレーニングマシン１０６にはカードリーダ１０７が、測定器１０８にはカードリーダ１０９が接続されている。【選択図】図１
2006119773.tif 000002
【特許請求の範囲】
【請求項１】
個人の健康情報入力手段を備えるユーザ端末と、そのユーザ端末と電気通信回路を介して接続されたウエブサーバと、そのウエブサーバに接続され前記ユーザ端末から送られる健康情報を格納する健康管理データベースとを備えた健康管理システムであって、
前記ユーザ端末が、個人の生体認証情報から抽出した特定のデータとその個人のＩＤが格納された情報記録媒体の読み取り手段と、個人の生体認証情報から特定のデータを抽出する生体認証手段と、前記情報記録媒体に格納された生体認証に関する特定のデータと前記生体認証手段により得られた個人の生体認証情報からの特定のデータとの一致度を照合する本人確認手段と、前記個人の健康情報と前記情報記録媒体に格納された前記個人のＩＤの連結手段とを備えており、
前記健康管理データベースは、前記ユーザ端末から電気通信回路により送られた前記個人のＩＤに連結した個人の健康情報をその個人のＩＤ毎に構成される健康情報テーブルに格納する手段を備えており、
前記ユーザ端末が、前記情報記録媒体に格納された生体認証に関する特定のデータと前記生体認証手段により得られた個人の生体認証情報からの特定のデータを前記本人確認手段により照合した結果が所定の一致度以上あり、本人と確認されたことを条件に前記ユーザ端末から前記健康管理データベースへのアクセスを可能とするアクセス手段を備えていることを特徴とする健康管理システム。
【請求項２】
個人の健康情報入力手段を備えるユーザ端末と、そのユーザ端末と電気通信回路を介して接続されたウエブサーバと、そのウエブサーバに接続され前記ユーザ端末から送られる健康情報を格納する健康管理データベースとを備えた健康管理システムであって、
前記ユーザ端末が、個人のパスワードとその個人のＩＤが格納された情報記録媒体の読み取り手段と、個人のパスワードの入力手段と、前記情報記録媒体に格納されたパスワードと前記入力手段から入力された個人のパスワードとを照合する本人確認手段と、前記個人の健康情報と前記情報記録媒体に格納された前記個人のＩＤの連結手段とを備えており、
前記健康管理データベースは、前記ユーザ端末から電気通信回路により送られた前記個人のＩＤに連結した個人の健康情報をその個人のＩＤ毎に構成される健康情報テーブルに格納する手段を備えており、
前記ユーザ端末が、前記情報記録媒体に格納されたパスワードと前記入力手段から入力されたパスワードが一致し、本人と確認されたことが前記本人確認手段により確認されたことを条件に、前記ユーザ端末から前記健康管理データベースへのアクセスを可能とするアクセス手段を備えていることを特徴とする健康管理システム。
【請求項３】
前記ユーザ端末が前記個人の健康情報の検索条件を入力する検索手段と、前記本人確認手段により本人と確認されたことを条件に健康情報の検索条件を前記ウエブサーバに送信する送信手段を備えており、
前記ウエブサーバが、前記検索条件の受信手段を備えているとともに、その受信手段により受信した前記ユーザ端末から送られた検索条件に従って、前記健康管理データベースから前記個人の健康情報を選択する選択手段と、その選択された前記健康情報の送信手段を備えていることを特徴とする請求項１又は２記載の健康管理システム。
【請求項４】
請求項１，２又は３記載の健康管理システムにおいて、前記情報記録媒体に、個人が会員として所属する組織のコードが前記個人のＩＤに連結して格納されており、前記健康管理データベースには、前記個人のＩＤに連結した組織のコードをその個人のＩＤ毎に構成される会員管理テーブルに格納する手段が備えられていることを特徴とする健康管理システム。
【請求項５】
前記ユーザ端末に前記個人の会費の入金情報と入金日時の入力手段が備えられており、前記健康管理データベースに前記個人のID毎に構成される支払管理テーブルが格納されており、その支払管理テーブルに前記個人のIDに連結して会費の支払日時と支払金額とが格納されることを特徴とする請求項１，２，３又は４記載の健康管理システム。
【請求項６】
健康情報入力手段を備えたユーザ端末と、電気通信回路を介して接続され前記ユーザ端末からアクセスされるウエブサーバと、そのウエブサーバに接続され前記ユーザ端末からの健康情報を格納する健康管理データベースとを備えた健康管理システムを利用する健康管理方法であって、
前記ユーザ端末に備えられた情報記録媒体の読み取り手段によりにより、情報記録媒体に格納された個人の生体認証情報から抽出した特定のデータとその個人のＩＤを読み取るステップと、
前記ユーザ端末に備えられた生体認証手段により、前記個人の生体認証情報から特定のデータを抽出するステップと、
前記ユーザ端末に備えられた本人確認手段により、前記情報記録媒体に格納された生体認証に関する特定のデータと前記生体認証手段により得られた特定のデータとの一致度を照合し本人と確認するステップと、
前記ユーザ端末に備えられた健康情報入力手段から前記個人の健康情報を入力するステップと、
前記ユーザ端末に備えられた健康情報と個人のＩＤの連結手段により、前記個人の健康情報と前記個人のＩＤとを連結するステップと、
前記ユーザ端末により、前記本人確認手段によって前記情報記録媒体に格納された生体認証に関する特定のデータと前記生体認証手段により得られた特定のデータとの照合結果が所定の一致度以上あり、本人と確認されたことを条件に前記ユーザ端末から前記健康管理データベースへアクセスするステップと、
前記個人のＩＤと健康情報を、電気通信手段を介して前記ユーザ端末から前記ウエブサーバへ送るステップと、
前記健康管理データベースに格納されている個人のＩＤ毎に構成される健康情報テーブルに前記個人の健康情報を格納するステップを有することを特徴とする健康管理方法。
【請求項７】
健康情報入力手段を備えたユーザ端末と、電気通信回路を介して接続され前記ユーザ端末からアクセスされるウエブサーバと、そのウエブサーバに接続され前記ユーザ端末からの健康情報を格納する健康管理データベースとを備えた健康管理システムを利用する健康管理方法であって、
前記ユーザ端末に備えられた情報記録媒体の読み取り手段によりにより、情報記録媒体に格納された個人のパスワードとその個人のＩＤを読み取るステップと、
前記ユーザ端末に備えられたパスワード入力手段により、前記個人のパスワードを入力するステップと、
前記ユーザ端末に備えられた本人確認手段により、前記情報記録媒体に格納されたパスワードと前記パスワード入力手段により入力されたパスワードとを照合し本人と確認するステップと、
前記ユーザ端末に備えられた健康情報入力手段から前記個人の健康情報を入力するステップと、
前記ユーザ端末に備えられた健康情報と個人のＩＤの連結手段により、前記個人の健康情報と前記個人のＩＤとを連結するステップと、
前記ユーザ端末が前記本人確認手段によって、前記情報記録媒体に格納されたパスワードと前記パスワード入力手段により入力されたパスワードが一致し、本人と確認されたことを条件に前記ユーザ端末から前記健康管理データベースへアクセスするステップと、
前記個人のＩＤと健康情報を、電気通信手段を介して前記ユーザ端末から前記ウエブサーバへ送るステップと、
前記健康管理データベースに格納されている個人のＩＤ毎に構成される健康情報テーブルに前記個人の健康情報を格納するステップを有することを特徴とする健康管理方法。
【請求項８】
請求項６又は７の健康管理方法によって格納された健康情報テーブルの個人の健康情報をユーザ端末から検索する健康管理方法であって、
前記ユーザ端末に備えられた情報検索手段に前記個人の健康情報の検索条件を入力するステップと、
前記ユーザ端末に備えられた前記本人確認手段により、本人と確認するステップと、
本人と確認されたことを条件に前記ユーザ端末に備えられたアクセス手段から前記ウエブサーバへアクセスするステップと、
前記ウエブサーバが、検索条件の受信手段により検索条件を受信するステップと、
前記検索条件により、前記ウエブサーバに備えられた健康情報の選択手段により、前記情報検索条件に従って前記健康管理データベースから前記個人のＩＤに対応した健康情報を選択するステップと、
前記ウエブサーバに備えられた送信手段により、選択した前記健康情報を前記ユーザ端末に電気通信手段を介して送るステップとを有することを特徴とする健康管理方法。
【請求項９】
請求項６，７又は８記載の健康管理方法において、前記情報記録媒体に、個人が会員として属する組織のコードが前記個人のＩＤに連結して格納されており、前記健康管理データベースに、前記個人のＩＤに連結した組織のコードをその個人のＩＤ毎に構成される会員管理テーブルに格納ステップを有することを特徴とする健康管理方法。
【請求項１０】
前記ユーザ端末に前記個人の会費の入金情報と入金日時の入力手段が備えられており、前記健康管理データベースに前記個人のIDに連結した支払管理テーブルが備えられており、
前記ユーザ端末に前記個人の会費の入金情報と入金日時を入力するステップと、
前記入金情報と入金日時を、前記ユーザ端末に備えられた送信手段により前記ウエブサーバに電気通信回路を介して送るステップと、
前記ウエブサーバを介して前記健康管理データベースの前記支払管理テーブルに前記個人のIDに連結して会費の支払日時と支払金額とを格納するステップを有することを特徴とする請求項６，７，８又は９記載の健康管理システム。
【発明の詳細な説明】
【技術分野】
【０００１】
本発明は、データベースに蓄積した健康情報を利用して健康状態を管理する健康管理システムと健康管理方法に関する。さらに、個人の会費の支払状況を管理する健康管理システムと健康管理方法に関する。
【背景技術】
【０００２】
データベースに蓄積した健康情報を利用して健康状態を管理する健康管理システムとしては、健康状況分析機能を備えた健康管理のためのシステムが知られている。（特許文献１）
【０００３】
上述の技術によれば、データベースに蓄積された健康情報に基づいて、システムを利用する個人に健康状態や健康改善のためのアドヴァイス等を通知することができる。しかし、健康情報は、プライバシーに関わるものであり、健康状態を正確に分析するためには、他人に知られたくない健康情報も数多くあるのが通常であり、機密保持に関する技術が求められている。上述の技術には、健康情報の機密保持に関する技術が開示されていない。
【０００４】
また、医療・検診情報と健康保険証情報と個人パスワードが対応付けられており、健康保険証情報と個人パスワードが一致した場合に健康情報を供給する健康指導システムが知られている。（特許文献２）
【０００５】
しかしながら、健康保険証情報や個人パスワードの管理も悪意の第三者に知られる可能性があり、また、医療・検診情報と健康保険証情報と個人パスワードを対応付けられているため、健康保険証情報や個人パスワードが第三者に流出した場合には、プライバシーの確保が困難なものとなる可能性があった。
【特許文献１】特開２００２−６３２７９号公報
【特許文献２】特開２００２−３５１９９３号公報
【発明の開示】
【発明が解決しようとする課題】
【０００６】
本発明は上述の問題点を解決するためになされたものであって、データベースに蓄積した健康情報を利用して健康状態を管理する、プライバシーの保護を確実に図ることのできる、健康管理システムと健康管理方法を提供することを目的としている。また、会員からのサービス利用料金を確実に、簡便に徴収することのできる健康管理システムと健康管理方法を提供することを目的としている。
【課題を解決するための手段】
【０００７】
本発明は、健康情報の匿名性を確保しながら、個人に健康管理サービスを行うものである。
すなわち、本発明は、（１）個人の健康情報入力手段を備えるユーザ端末と、そのユーザ端末と電気通信回路を介して接続されたウエブサーバと、そのウエブサーバに接続され前記ユーザ端末から送られる健康情報を格納する健康管理データベースとを備えた健康管理システムであって、前記ユーザ端末が、個人の生体認証情報から抽出した特定のデータとその個人のＩＤが格納された情報記録媒体の読み取り手段と、個人の生体認証情報から特定のデータを抽出する生体認証手段と、前記情報記録媒体に格納された生体認証に関する特定のデータと前記生体認証手段により得られた個人の生体認証情報からの特定のデータとの一致度を照合する本人確認手段と、前記個人の健康情報と前記情報記録媒体に格納された前記個人のＩＤの連結手段とを備えており、前記健康管理データベースは、前記ユーザ端末から電気通信回路により送られた前記個人のＩＤに連結した個人の健康情報をその個人のＩＤ毎に構成される健康情報テーブルに格納する手段を備えており、前記ユーザ端末が、前記情報記録媒体に格納された生体認証に関する特定のデータと前記生体認証手段により得られた個人の生体認証情報からの特定のデータを前記本人確認手段により照合した結果が所定の一致度以上あり、本人と確認されたことを条件に前記ユーザ端末から前記健康管理データベースのアクセスを可能とするアクセス手段を備えていることを特徴とする健康管理システム、である。
【０００８】
本発明におけるユーザ端末は、パーソナルコンピュータを採用すると、簡便に多くの機能を実現でき好適である。
【０００９】
本発明におけるウエブサーバとは、例えば、WWWシステムにおいて、情報送信を行うコンピュータのことであり、WWWによる情報送信機能を持ったソフトウェアのことである。クライアントからのHTTPリクエストを受付け、健康管理データベースサーバに対しデータ操作要求を出し、その結果を用いてダイレクトにHTMLファイルを作成し、クライアントに返す役割を果たす。
【００１０】
本発明の健康管理データベースとは、コンピュータとデータベースソフトウェアを利用した装置であるが、ハードウェアは前記ウエブサーバと一体的に形成されていてもかまわない。健康管理データベースには個人の健康に関するデータと、それに付随するデータが蓄積される。
【００１１】
電気通信回路としては、インターネットの利用が好適であるが、その他公衆電話回線を利用してアクセスしたり、通信会社が提供する専用線を利用してアクセスすることも利用可能である。
【００１２】
情報記録媒体としては、ICカードが持ち運びや保管が容易であり好適である。また、携帯電話や磁気カード、フラッシュメモリ等を採用することも可能である。
【００１３】
健康情報の入力は、特に限定はされないが、ユーザ端末に接続したキーボードやタッチパネルから行うこともできるし、情報記録媒体読み取り手段と生体認証手段を備えた血圧計等の測定器具やランニングマシン等の健康器具をユーザ端末に接続して行うこともできる。また、ユーザ端末や施設に設置して複数の個人が使用することもできるし、個人住宅に設置して個人専用とすることもできる。また、健康情報入力手段又はユーザ端末又は情報記録媒体の読み取り手段は一体的に形成されていてもよい。  
【００１４】
生体認証手段としては、指紋認証、虹彩認証、静脈認証、声紋認証、顔認証等が挙げられる。
【００１５】
健康管理データベースには個人の健康情報に加えて、DNA、SNPs、タンパク質、家族の病歴等の既知のデータを格納しておくと、健康状態の分析を正確に行うことができる。
【００１６】
また、本発明は、（２）個人の健康情報入力手段を備えるユーザ端末と、そのユーザ端末と電気通信回路を介して接続されたウエブサーバと、そのウエブサーバに接続され前記ユーザ端末から送られる健康情報を格納する健康管理データベースとを備えた健康管理システムであって、前記ユーザ端末が、個人のパスワードとその個人のＩＤが格納された情報記録媒体の読み取り手段と、個人のパスワードの入力手段と、前記情報記録媒体に格納されたパスワードと前記入力手段から入力された個人のパスワードとを照合する本人確認手段と、前記個人の健康情報と前記情報記録媒体に格納された前記個人のＩＤの連結手段とを備えており、前記健康管理データベースは、前記ユーザ端末から電気通信回路により送られた前記個人のＩＤに連結した個人の健康情報をその個人のＩＤ毎に構成される健康情報テーブルに格納する手段を備えており、前記ユーザ端末が、前記情報記録媒体に格納されたパスワードと前記入力手段から入力されたパスワードが一致し、本人と確認されたことが前記本人確認手段により確認されたことを条件に、前記ユーザ端末から前記健康管理データベースへのアクセスを可能とするアクセス手段を備えていることを特徴とする健康管理システム、である。
【００１７】
本発明におけるパスワードの入力手段としては、キーボードが最も簡便で適している。
【００１８】
また、本発明は、（３）上記（１）又は（２）の健康管理システムにおいて、前記ユーザ端末が前記個人の健康情報の検索条件を入力する検索手段と、前記本人確認手段により本人と確認されたことを条件に健康情報の検索条件を前記ウエブサーバに送信する送信手段を備えているとともに、前記ウエブサーバが、前記検索条件の受信手段を備えており、その受信手段により受信した前記ユーザ端末から送られた検索条件に従って、前記健康管理データベースから前記個人の健康情報を選択する選択手段と、その選択された前記健康情報の送信手段を備えていることを特徴とする健康管理システムである。
【００１９】
また、本発明は、（４）上記（１）、（２）又は（３）の健康管理システムにおいて、前記情報記録媒体に、個人が会員として所属する組織のコードが前記個人のＩＤに連結して格納されており、前記健康管理データベースには、前記個人のＩＤに連結した組織のコードをその個人のＩＤ毎に構成される会員管理テーブルに格納する手段が備えられていることを特徴とする健康管理システム、である。
【００２０】
会員管理テーブルは、会員と確認した結果により組織毎に健康管理サービスの利用料金を計算する機能を有しているのと、料金の請求を会員単位ではなく、組織単位にできるのでサービスの運営を簡素化できるので好ましい。
【００２１】
会員管理テーブルは個人のIDと組織のコードの他に、パスワード、会費、有効FLG、発行日等が記録されることも効果的であり、このようにすることにより、主に会員がデータベースにアクセスする際のパスワード認証と、有効会員であるかどうかを管理することが可能になる。
【００２２】
組織としては、特に限定はされないが、フィットネスクラブ、スポーツクラブ、企業、団体等健康管理を必要とするものが挙げられる。また、本発明における会員とは、組織に所属するといった意味合いであり、組織のサービスに対して、直接、間接を問わず、会費や料金を納めている人を対象としている。
【００２３】
情報記録媒体に個人情報とともにその個人が属している組織の情報を格納することにより、組織の会員の状況を的確に把握することができ、また、組織ごとの健康情報の分析を行うことができる。
【００２４】
また、本発明は、（５）上記（１）、（２）、（３）又は（４）の健康管理システムにおいて、前記ユーザ端末に前記個人の会費の入金情報と入金日時の入力手段が備えられており、前記健康管理データベースに前記個人のID毎に構成される支払管理テーブルが格納されており、その支払管理テーブルに前記個人のIDに連結して会費の支払日時と支払金額とが格納されることを特徴とする健康管理システム、である。
【００２５】
また、本発明は、（６）健康情報入力手段を備えたユーザ端末と、電気通信回路を介して接続され前記ユーザ端末からアクセスされるウエブサーバと、そのウエブサーバに接続され前記ユーザ端末からの健康情報を格納する健康管理データベースとを備えた健康管理システムを利用する健康管理方法であって、
前記ユーザ端末に備えられた情報記録媒体の読み取り手段によりにより、情報記録媒体に格納された個人の生体認証情報から抽出した特定のデータとその個人のＩＤを読み取るステップと、前記ユーザ端末に備えられた生体認証手段により、前記個人の生体認証情報から特定のデータを抽出するステップと、
前記ユーザ端末に備えられた本人確認手段により、前記情報記録媒体に格納された生体認証に関する特定のデータと前記生体認証手段により得られた特定のデータとの一致度を照合し本人と確認するステップと、前記ユーザ端末に備えられた健康情報入力手段から前記個人の健康情報を入力するステップと、前記ユーザ端末に備えられた健康情報と個人のＩＤの連結手段により、前記個人の健康情報と前記個人のＩＤとを連結するステップと、前記ユーザ端末により、前記本人確認手段によって前記情報記録媒体に格納された生体認証に関する特定のデータと前記生体認証手段により得られた特定のデータとの照合結果が所定の一致度以上あり、本人と確認されたことを条件に前記ユーザ端末から前記健康管理データベースへアクセスするステップと、前記個人のＩＤと前記健康情報入力日時に連結した健康情報を、電気通信手段を介して前記ユーザ端末から前記ウエブサーバへ送るステップと、前記健康管理データベースに格納されている個人のＩＤ毎に構成される健康情報テーブルに前記個人の健康情報を健康情報入力日時とともに格納するステップを有することを特徴とする健康管理方法、である。
【００２６】
健康情報テーブルには、個人の健康診断の結果や、病院での診療記録、フィットネスクラブでの運動記録等が時系列に記録されおり、これらのデータを統計解析を行うことにより、個人に対して病気にかかるリスクを提示することが可能であり、また、医師の所見を入力、表示することも可能である。
【００２７】
また、本発明は、（７）健康情報入力手段を備えたユーザ端末と、電気通信回路を介して接続され前記ユーザ端末からアクセスされるウエブサーバと、そのウエブサーバに接続され前記ユーザ端末からの健康情報を格納する健康管理データベースとを備えた健康管理システムを利用する健康管理方法であって、前記ユーザ端末に備えられた情報記録媒体の読み取り手段によりにより、情報記録媒体に格納された個人のパスワードとその個人のＩＤを読み取るステップと、前記ユーザ端末に備えられたパスワード入力手段により、前記個人のパスワードを入力するステップと、前記ユーザ端末に備えられた本人確認手段により、前記情報記録媒体に格納されたパスワードと前記パスワード入力手段により入力されたパスワードとを照合し本人と確認するステップと、前記ユーザ端末に備えられた健康情報入力手段から前記個人の健康情報を入力するステップと、前記ユーザ端末に備えられた健康情報と個人のＩＤの連結手段により、前記個人の健康情報と前記個人のＩＤとを連結するステップと、前記ユーザ端末が前記本人確認手段によって、前記情報記録媒体に格納されたパスワードと前記パスワード入力手段により入力されたパスワードが一致し、本人と確認されたことを条件に前記ユーザ端末から前記健康管理データベースへアクセスするステップと、前記個人のＩＤと健康情報を、電気通信手段を介して前記ユーザ端末から前記ウエブサーバへ送るステップと、前記健康管理データベースに格納されている個人のＩＤ毎に構成される健康情報テーブルに前記個人の健康情報を格納するステップを有することを特徴とする健康管理方法、である。
【００２８】
また、本発明は、（８）上記（６）又は（７）の健康管理方法によって格納された健康情報テーブルの個人の健康情報をユーザ端末から検索する健康管理方法であって、前記ユーザ端末に備えられた情報検索手段に前記個人の健康情報の検索条件を入力するステップと、前記ユーザ端末に備えられた前記本人確認手段により、本人と確認するステップと、
本人と確認されたことを条件に前記ユーザ端末に備えられたアクセス手段から前記ウエブサーバへアクセスするステップと、前記ウエブサーバが、検索条件の受信手段により検索条件を受信するステップと、前記検索条件により、前記ウエブサーバに備えられた健康情報の選択手段により、前記情報検索条件に従って前記健康管理データベースから前記個人のＩＤに対応した健康情報を選択するステップと、前記ウエブサーバに備えられた送信手段により、選択した前記健康情報を前記ユーザ端末に電気通信手段を介して送るステップとを有することを特徴とする健康管理方法、である。
【００２９】
また、本発明は、（９）上記（６）、（７）又は（８）の健康管理方法において、前記情報記録媒体に、個人が会員として属する組織のコードが前記個人のＩＤに連結して格納されており、前記健康管理データベースに、前記個人のＩＤに連結した組織のコードをその個人のＩＤ毎に構成される会員管理テーブルに格納ステップを有することを特徴とする健康管理方法、である。
【００３０】
また、本発明は、（１０）上記（６）、（７）、（８）又は（９）の健康管理方法において、前記ユーザ端末に前記個人の会費の入金情報と入金日時の入力手段が備えられており、前記健康管理データベースに前記個人のIDに連結した支払管理テーブルが備えられており、前記ユーザ端末に前記個人の会費の入金情報と入金日時を入力するステップと、前記入金情報と入金日時を、前記ユーザ端末に備えられた送信手段により前記ウエブサーバに電気通信回路を介して送るステップと、前記ウエブサーバを介して前記健康管理データベースの前記支払管理テーブルに前記個人のIDに連結して会費の支払日時と支払金額とを格納するステップを有することを特徴とする健康管理システム、である。
【００３１】
支払い管理テーブルには、個人が支払った会費の額が、支払日とともに記録され、最後に支払った日から一定期間が経過すると、前期健康管理データベースのプログラムにより、自動的に会員管理テーブルの有効FLGが０にセットされ、前期健康管理データベースは、個人IDを持った個人からのアクセスを拒否するようになされていることが好ましい。
【発明の効果】
【００３２】
本発明の健康管理システムと健康管理方法によれば、個人の健康情報の管理をデータベースの収納された過去の健康情報を含めて行うことができ、本人の健康情報は、本人だけが検索することができる。さらに、完全非連結匿名性を維持した上で、確実に利用者から利用料金を収集することが可能であり、不正利用を防ぐことが可能となる。
【発明を実施するための最良の形態】
【００３３】
以下、本発明の実施の形態を、図面を参照して説明する。図１は本発明の健康管理システムの実施の形態を示す構成図、図２、図３、図４は本発明の健康管理方法を示すフロー図であり、図６、図７、図８は個人の健康情報に関するデータベースのレイアウトである。ここでは、個人が会員として所属する組織がフィットネスクラブであり、情報媒体がＩＣカードであり、生体認証を指紋で行う場合を例として本発明の健康管理システム及び健康管理方法を説明する。
【００３４】
フィットネス施設１００には、ユーザ端末１０３が備えられており、ユーザ満末１０３には個人の健康情報入力手段であるキーボード１０５、トレーニングマシン１０６、血圧、脈拍や体重等の測定器１０８が接続されており、運動の情報や測定結果はユーザ端末１０３に自動的に送信される。また、ユーザ端末１０３と管理端末１０１はネットワーク接続機器を介して接続されている。さらに、管理端末１０１にはカードリーダ１０２が、ユーザ端末１０３にはカードリーダ１０４が、トレーニングマシン１０６にはカードリーダ１０７が、測定器１０８にはカードリーダ１０９が接続されている。
【００３５】
ユーザ端末１０３と管理端末１０１は電気通信回路であるインターネット１２０を介して健康管理センター１３０に備えられたウエブサーバ１３１とFTPサーバ１３２に接続されている。ウエブサーバ１３１とFTPサーバ１３２はユーザ端末１０３から送られる健康情報を格納する健康管理データベース１３３と接続されている。
【００３６】
健康管理データベース１３３には、図６に示す会員管理テーブル１７０、図７に示す健康情報テーブル１７１、図８に示す支払管理テーブル１７２が格納されている。
【００３７】
会員管理テーブル１７０の構成は、特に限定はされないが、ID、施設（フィットネスクラブ）コード、パスワード、有効FLG、発効日、月会費等とすることができる。IDは利用者のICカードに保存されているID番号と同一のものであり、施設コードは利用者が所属する施設のコードが管理される。パスワードは、利用者が健康管理データベースにアクセスする際に必要なパスワードである。有効FLGは利用可能となっていれば「１」が記録され、料金の支払いが特定期間行われていない等の場合は「０」が記録されている。利用者が健康管理データベースにアクセスする際、システムは有効FLGをチェックし、これが「１」であればアクセス可能となる。発効日は利用会員に対してICカードを発行した日、月会費は利用者が加入するサービスに対する月会費である。サービスは複数のメニューを用意することも可能であり、メニューごとに異なる月会費を設定することもできる。
【００３８】
健康情報テーブル１７１の構成は、特に限定はされないが、ID、登録日、体重、血圧等とすることができる。IDは利用者のICカードに保存されているID番号と同一のものである。登録日は健康情報が登録された日であり、その他、複数の健康情報（体重、血圧、脈拍、血糖値、運動結果等）が記録される。
【００３９】
支払管理テーブル１７２の構成は、特に限定はされないが、ID、支払日、金額とすることができる。IDは利用者のICカードに保存されているID番号と同一のものである。支払日は、利用者が利用料金を支払った日であり、金額は支払った利用料金の額である。
【００４０】
ここで、トレーニングマシン１０６、測定器１０８にはユーザ端末を内蔵させることができ、個人の健康情報は直接インターネット１２０を介して健康管理データベース１３３に送信することもできる。利用者は測定の都度、測定器１０８に付属の表示装置と、タッチパネルもしくはキーボード等を利用して健康管理ウエブサイトにアクセスし、測定結果を健康管理データベース１３３に送信する。通常測定器は常に健康管理ウエブサイトにアクセスした状態であるため、ユーザが健康管理サイトにアクセスする手間は省ける。
【００４１】
また、測定器１０８から定期的に測定結果を自動で健康管理データベースに送信することも可能であり、その際は、測定の都度測定器内の記憶装置に測定結果が保存され、ファイル転送プロトコルを用いて一括データ転送が行われる。測定の都度データを転送することも可能であるが、ＦＴＰサーバ１３２に負荷が集中する場合は、定期的にデータをまとめて一括で転送する。この場合は、リアルタイム性にかけることがある。
【００４２】
また、フィットネスクラブの会員家庭１４０にユーザ端末１４１を設置することもできる。ウエブサーバ１３１には、家庭１４０に備えられたユーザ端末１４１がインターネット１２０を介して接続されている。ユーザ端末１４１には個人の健康情報入力手段であるキーボード１４３とトレーニングマシン１４４と測定器１４６が接続されている。また、ユーザ端末１４１にはカードリーダ１４２が、トレーニングマシン１４４にはカードリーダ１４５が、測定器１４６にはカードリーダ１４７が接続されている。
【００４３】
情報記録媒体であるＩＣカードには、ＩＣカードの持ち主である個人の生体認証情報から抽出した特定のデータである指紋データとその個人のＩＤが格納されている。ここで、個人のＩＤはそれぞれのＩＣカードに特有のものであり、個人名とＩＤとの連結表を作成しないことにより、個人の健康情報が意図しない他人に漏洩することを防ぐことができる。
【００４４】
カードリーダ１０２，１０４，１０７，１０９，１４２，１４５，１４７はＩＣカードの読み取り手段となされている。また、カードリーダ１０２，１０４，１０７，１０９，１４２，１４５，１４７は個人の指紋（生体認証情報）から特定の指紋データを抽出する生体認証手段としての機能を有している。
【００４５】
ＩＣカードに格納された指紋データとカードリーダ１０２，１０４，１０７，１０９，１４２，１４５，１４７により得られた指紋データとの一致度を照合する本人確認手段と、個人の健康情報とＩＣカードに格納された個人のＩＤの連結手段は、ユーザ端末１０３，１４１が備えている。このように形成することにより、機能を集約することができシステムを簡略化でき好適である。
【００４６】
また、健康管理データベース１３３は、ユーザ端末１０３，１４１からインターネット１２０により送られた個人のＩＤに連結した個人の健康情報をその個人のＩＤ毎に構成される健康情報テーブル１７１に格納する手段を備えている。
【００４７】
ユーザ端末１０３，１４１は、ＩＣカードに格納された指紋データとカードリーダ１０２，１０４，１０７，１０９，１４２，１４５，１４７により得られた個人の指紋データをユーザ端末１０３，１４１に内蔵された本人確認手段により照合した結果が所定の一致度以上あり、本人と確認されたことを条件にユーザ端末１０３，１４１から健康管理データベース１３３へのアクセスを可能とするアクセス手段を内蔵して備えている。
【００４８】
管理端末１０１にはカードリーダ１０２が接続されており、主に施設の管理者が使用するが、機能はユーザ端末１０３と同様である。
【００４９】
ユーザ端末１０３，１４１に接続しているキーボード１０５，１４３は検索手段として用いられる。つまり、キーボード１０５，１４３から個人の健康情報の検索条件を入力することにより、本人の健康情報を検索することが可能となされている。ただし、検索条件は、上述の本人確認手段により本人と確認されたことを条件にウエブサーバ１３１にユーザ端末１０３，１４１に内蔵された送信手段で送信される。
【００５０】
送信された検索条件は、ウエブサーバ１３１に内蔵された受信手段により受信される。また、ウエブサーバ１３１は個人の健康情報を選択する選択手段内蔵しており、上述の検索条件に従って、健康管理データベース１３３から本人の健康情報を選択する。さらに、ウエブサーバ１３１は送信手段を内蔵しており、選択された本人の健康情報を検索条件が入力されたユーザ端末１０３，１４１に送信する。
【００５１】
また、ユーザ端末１０３，１４１は、キーボード１０５、トレーニングマシン１０６、血圧、脈拍や体重等の測定器１０８等の健康情報入力手段から入力された個人の健康情報には、図７の健康情報テーブルに示すように、健康情報登録日が連結するようになされており、個人のＩＤ毎に構成される健康情報テーブル１７１に個人の健康情報に連結した健康情報登録日を格納するようになされている。
【００５２】
さらに、情報記録媒体であるＩＣカードに、個人が会員として所属する組織であるフィットネスクラブのコードが個人のＩＤに連結して格納されている。健康管理データベース１３３には、会員管理テーブル１７０が格納されており、個人のＩＤに連結したフィットネスクラブのコードをその個人のＩＤ毎に構成される会員管理テーブル１７０に格納する手段が備えられている。
【００５３】
また、ユーザ端末１０３，１４１に個人の会費の入金情報と入金日時の入力手段が備えられており、健康管理データベース１３３に個人のID毎に構成される支払管理テーブル１７２が格納されており、その支払管理テーブル１７２に前記個人のIDに連結して会費の支払日時と支払金額とが格納される。個人の会費の入金情報と入金日時の入力手段としては、キーボード１０５、１４３を使用することができる。
【００５４】
以上本人確認方法として指紋データの一致の場合を説明したが、ＩＣカードに本人特有のパスワードを格納しておき、カードリーダ１０２，１０４，１０７，１０９，１４２，１４５，１４７で読み取られたパスワードと、本人がキーボード１０５，１４３から本人だけが知っているパスワードを入力し、それらが一致したことによる本人確認方法も簡便な方法として採用できる。
【００５５】
次に、本発明の健康管理方法を具体的に説明する。まず、図２を参照し、トレーニングマシン１０６からデータを送信する場合の例を説明する。ここでは、トレーニングマシン１０６にユーザ端末１０３が内蔵されている例を説明する。フィットネスクラブの会員である本人がフィットネス施設１００にトレーニングマシン１０６に接続されたカードリーダ１０７によりＩＣカードに格納された個人の指紋データと本人のＩＤを読み取らせる。（Ｓ１）
【００５６】
次に、本人がカードリーダ１０７に決められた指先を接触させることにより、本人の指紋データが抽出される。ここで、トレーニングマシン１０６に接続されたカードリーダ１０７は生体認証手段として使用される。（Ｓ２）
【００５７】
次に、カードリーダ１０７に内蔵された本人確認手段により、ＩＣカードに格納された指紋データとカードリーダ１０７により得られた本人の指紋データとの一致度を照合し本人が確認される。（Ｓ３）
【００５８】
次に、フィットネス施設１００の利用者本人が、トレーニングマシン１０６の使用を開始する。（Ｓ４）また、予定した運動を終了する。（Ｓ５）
【００５９】
終了した運動の運動量や、脈拍や血圧等の変化（健康情報）をトレーニングマシン１０６に内蔵されたマイクロコンピュータ（ユーザ端末１０３）で本人の健康情報と個人のＩＤの連結手段により健康情報と個人のＩＤが連結されたデータが集計され（Ｓ６）、送信用データが作成される。（Ｓ７）
【００６０】
ここで、送信用データには、本人の健康情報にその健康情報入力日時が連結されている。
【００６１】
次に、トレーニングマシンに内蔵されたユーザ端末１０３の本人確認手段によって、ＩＣカードに格納された指紋データとカードリーダ１０７により得られた指紋データとの照合結果が所定の一致度以上あり、本人と確認されていることを条件にユーザ端末１０３からインターネット１２０を介してＦＴＰサーバ１３２にデータを送信する。（Ｓ８）
【００６２】
次に、健康情報入力日時に連結した本人の健康情報を、健康管理データベース１３３の個人のＩＤ毎に構成される健康情報テーブル１７１に登録する。（Ｓ９）
【００６３】
以上で、本人の健康情報を健康管理データベース１３３に格納するステップが終了する。以上の方法により、ユーザ端末１０３が内蔵されたトレーニングマシン１０６から本人の健康情報が正確に健康管理データベース１３３に格納される。
【００６４】
次に、ユーザ端末１０３と健康情報入力手段が個別に設けられている例を、図３を参照に説明する。まず、キーボード１０５を利用してウエブサーバ１３１にアクセスする。（Ｓ１０）
【００６５】
次に、カードリーダ１０４により、本人のＩＣカードから指紋データを読み取る。（Ｓ１）
【００６６】
次に、カードリーダ１０４により、本人の指紋データを読み取る。（Ｓ１２）
【００６７】
次に、カードリーダ１０４により、ＩＣカードに格納された指紋データとカードリーダ１０４により得られた本人の指紋データとの一致度を照合し本人が確認され、ＩＤが読み取られる。（Ｓ１３）
【００６８】
ここで、健康管理データベース１３３は、本人がキーボード１０５から入力した、本人だけに知らされているパスワードとＩＣカードから読み取られたＩＤの組み合わせが、健康管理データベース１３３の会員管理テーブルに記録されているＩＤとパスワードの組み合わせと一致しているかどうかがチェックされる。（Ｓ１４）
【００６９】
次に、トレーニングマシン１０６、測定器１０８、キーボード１０５を使用して健康情報が入力される。この際、ユーザ端末１０３に内蔵された、本人の健康情報と個人のＩＤの連結手段により、本人の健康情報と本人のＩＤとが連結される。また、本人の健康情報にその健康情報入力日時が連結される。（Ｓ１５）
【００７０】
次に、ユーザ端末１０３に内蔵された本人確認手段によって、ＩＣカードに格納された指紋データとカードリーダ１０４により得られた指紋データとの照合結果が所定の一致度以上あり、本人と確認されていることを条件にユーザ端末１０３からインターネット１２０、ウエブサーバ１３１を介して健康管理データベースに健康情報が登録され、個人のＩＤ毎に構成される健康情報テーブル１７１に本人の健康情報が健康情報入力日時とともに格納されていく。（Ｓ１６）
【００７１】
以上説明した健康管理方法は、家庭１４０においても同様に実施することができる。
【００７２】
以上で、本人の健康情報を健康管理データベース１３３の健康情報テーブル１７１に格納するステップが終了する。以上の方法により、本人の健康情報は、正確に本人特有の健康情報として健康管理データベース１３３に格納される。
【００７３】
続いて、本人の健康情報の検索方法を説明する。先ず、ユーザ端末１０３に接続された情報検索手段であるキーボード１０５を使用してウエブサーバ１３１のウエブサイトにアクセスする。
【００７４】
次に、カードリーダ１０４により、ＩＣカードに格納された指紋データとカードリーダ１０４により得られた本人の指紋データとの一致度を照合し本人が確認される。（Ｓ１８）
【００７５】
ここで、健康管理データベース１３３は、本人がキーボード１０５から入力した、本人だけに知らされているパスワードとＩＣカードから読み取られたＩＤの組み合わせが、健康管理データベース１３３の会員管理テーブルに記録されているＩＤとパスワードの組み合わせと一致しているかどうかがチェックされる。（Ｓ１９）
【００７６】
次に、ユーザ端末１０３に接続された情報検索手段であるキーボード１０５に本人の健康情報の検索条件を入力する。（Ｓ２０）
【００７７】
検索条件としては、例えば、年齢、日付、体重、血糖値等の生体情報があげられる。
【００７８】
引き続き、本人と確認されていることを条件にユーザ端末１０３に内蔵されたアクセス手段からウエブサーバ１３１へアクセスがなされ、ウエブサーバ１３１に内蔵された受信手段により検索条件が受信され、検索が実行される。（Ｓ２１）
【００７９】
次に、上述の検索条件により、ウエブサーバ１３１に内蔵された健康情報の選択手段により、健康管理データベース１３３から本人のＩＤに対応した健康情報を選択しウエブサーバ１３１に内蔵された送信手段により、選択した本人の健康情報をユーザ端末１０３にインターネット１２０を介して送り、検索結果をユーザ端末１０３に備えられた表示装置に表示する。（Ｓ２２）
【００８０】
以上説明した健康管理方法は、家庭１４０においても同様に実施することができる。
【００８１】
以上のようにして、本人の健康情報は、本人だけによって検索可能とされる。引き続き、フィットネスクラブの会員の管理方法、及び会員の集金方法を説明する。
【００８２】
上述のＩＣカードには、個人が会員として属するフィットネスクラブのコードが本人のＩＤに連結して格納されている。また、健康管理データベース１３３に、個人のＩＤに連結したフィットネルクラブのコードが、その個人のＩＤ毎に構成される会員管理テーブル１７０に格納されている。
【００８３】
フィットネスクラブの会員は、施設窓口で当月の利用料金を支払う。（Ｓ２３）
【００８４】
次に、管理端末１０１に接続されたカードリーダ１０２により、ＩＣカードに格納された指紋データとカードリーダ１０２により得られた本人の指紋データとの一致度を照合し本人が確認される。（Ｓ２４）
【００８５】
ここで、健康管理データベース１３３は、本人がキーボード１０５から入力した、本人だけに知らされているパスワードとＩＣカードから読み取られたＩＤの組み合わせが、健康管理データベース１３３の会員管理テーブルに記録されているＩＤとパスワードの組み合わせと一致しているかどうかがチェックされる。（Ｓ２５）
【００８６】
次に、入金情報と入金日時を、管理端末１０１に内蔵された送信手段によりインターネット１２０、ウエブサーバ１３１を介して健康管理データベース１３３に送り、会員管理テーブル１７０に本人の当月支払レコードを追加する。健康管理データベース１３３に格納された支払管理テーブルに本人のＩＤに連結して利用料金と支払日が記録される。（Ｓ２６）
【００８７】
次に、フィットネスクラブ運営者は、健康管理センター１３０に全利用者から預かった当月分の会費を送金する。（Ｓ２７）
【００８８】
健康管理センター１３０は、会員管理テーブル１７０と支払管理テーブル１７２から、フィットネスクラブごとの会費を集計する。（Ｓ２８）
【００８９】
健康管理センター１３０は、集計額と送金額を比較確認する。（Ｓ２９）
【００９０】
ここで、支払管理テーブル１７２から、フィットネスクラブごとの会費を集計や、集計額と送金額を比較確認のために、健康管理データベース内に計算・比較手段を備えることが好ましい。
【００９１】
会員管理テーブル１７０のフィットネスクラブコードごとに会員の会費を集計することにより、施設から徴収すべき月会費が明確になり、実際の集金額が正しいかどうかをチェックすることが可能となる。また、会員管理テーブルの有効FLGが０になっている会員からはアクセスを受け付けない仕組みであり、この仕組みにより、会費を払っていない会員からのアクセスを防ぐことが可能である。
【００９２】
以上本人確認方法として指紋データの一致の場合を説明したが、ＩＣカードに本人特有のパスワードを格納しておき、カードリーダ１０２，１０４，１０７，１０９，１４２，１４５，１４７で読み取られたパスワードと、本人がキーボード１０５，１４３から本人だけが知っているパスワードを入力し、それらが一致したことによる本人確認方法も簡便な方法として採用できる。
【００９３】
以上、本発明の実施の形態を図面により説明したが、本発明の具体的構成はこの実施の形態に限られるものではなく、本発明の要旨を逸脱しない範囲の設計の変更等があっても本発明に含まれる。
【００９４】
例えば、情報記録媒体は、磁気カードやUSB接続タイプのフラッシュメモリや携帯電話でもよい。トレーニングマシンとしては、他に、エアロバイク、ランニングマシン、歩数計等が挙げられる。測定器としては、他に、体重計、体脂肪計、血圧計、血糖値測定器等が挙げられる。また、ウエブサーバと健康データベースは共通のコンピュータを利用してもよい。
【００９５】
ＩＣカードに格納された指紋データとカードリーダ１０２，１０４，１０７，１０９，１４２，１４５，１４７により得られた指紋データとの一致度を照合する本人確認手段と、個人の健康情報とＩＣカードに格納された個人のＩＤの連結手段は、カードリーダ１０２，１０４，１０７，１０９，１４２，１４５，１４７やトレーニングマシン１０６や測定器１０８に備えていてもよい。
【００９６】
個人の会費の入金情報と入金日時の入力手段として、ユーザ端末１０３，１４１と銀行等の引き落とし口座とを接続しておくことも可能である。
【産業上の利用可能性】
【００９７】
本発明の健康管理システムと健康管理方法によれば、プライバシーの保護が確実に図りながら、データベースに蓄積した健康情報を利用して健康状態を管理することができる。また、サービスの料金を個人ではなく組織に対して行うことにより健康管理のコストを小さくすることができる。
【図面の簡単な説明】
【００９８】
【図１】本発明の健康管理システムの実施の形態を示す構成図である。
【図２】本発明の健康管理方法（健康情報入力）を示すフロー図である。
【図３】本発明の他の健康管理方法（健康情報入力）を示すフロー図である。
【図４】本発明の健康管理方法（健康情報検索）を示すフロー図である。
【図５】本発明の健康管理方法（会費入金管理）を示すフロー図である。
【図６】本発明に使用する会員管理テーブルである。
【図７】本発明に使用する健康情報テーブルである。
【図８】本発明に使用する支払管理テーブルである。
【符号の説明】
【００９９】
１００  フィットネス施設
１０２、１０４，１０７，１０９，１４２，１４５，１４７  カードリーダ
１０３，１４１  ユーザ端末
１０５，１４３  キーボード
１２０  インターネットウエブサーバ
１３１  ウエブサーバ
１３３  健康管理データベース
１７０  会員管理テーブル
１７１  健康情報テーブル
１７２  支払管理テーブル
【図１】
2006119773.tif 000003
【図２】
2006119773.tif 000004
【図３】
2006119773.tif 000005
【図４】
2006119773.tif 000006
【図５】
2006119773.tif 000007
【図６】
2006119773.tif 000008
【図７】
2006119773.tif 000009
【図８】
2006119773.tif 000010